【手続補正書】
【提出日】平成23年6月6日(2011.6.6)
【手続補正１】
【補正対象書類名】特許請求の範囲
【補正対象項目名】全文
【補正方法】変更
【補正の内容】
【特許請求の範囲】
【請求項１】
メモリに記憶されている第１の画像と、メモリに記憶されている第２の画像とを、印刷装置にシートへ印刷させる印刷制御手段と、
前記印刷制御手段により印刷されたシートを読取装置が読み取って得られた、前記第１の画像と前記第２の画像とを含む読取画像を入力する入力手段と、
前記入力手段により入力された読取画像における前記第２の画像に対応する領域を特定するためのデータを、メモリから取得する取得手段と、
前記入力手段により入力された読取画像から抽出される画像であって、当該画像に含まれる画素のそれぞれの輝度が所定レベルよりも低い第１の抽出画像と、当該読取画像のうちの前記取得手段により取得されたデータにより特定される領域に対応する第２の抽出画像とを、当該読取画像から抽出する抽出手段と、
前記抽出手段により抽出された前記第１の抽出画像および前記第２の抽出画像と、前記メモリに記憶されている前記第１の画像とが合成された合成画像を出力する出力
手段と、
を有することを特徴とする画像処理装置。
【請求項２】
前記取得手段は、メモリに記憶されている前記第２の画像に基づき、前記入力手段により入力された読取画像に対応する大きさの画像内に、当該第２の画像の領域を示すデータを含む抽出用画像作成し、
前記抽出手段は、前記取得手段により作成された当該抽出用画像と当該読取画像とを比較することによって、当該読取画像から前記第２の抽出画像を抽出することを特徴とする請求項１に記載の画像処理装置。
【請求項３】
前記取得手段は、前記読取画像のうちの前記第２の画像に対応する領域を示すデータに基づき、当該データが示す当該第２の画像に対応する領域よりも狭い領域を示すデータを作成し、
前記抽出手段は、前記読取画像のうちの前記取得手段により作成された前記データが示す領域の画像を、前記第２の抽出画像として抽出することを特徴とする請求項１または２に記載の画像処理装置。
【請求項４】
前記第１の画像に含まれている画素のそれぞれの輝度が所定の輝度以上になるように当該第１の画像を変換することによって、当該第１の画像に基づく参照画像を作成する作成手段を有し、
前記印刷制御手段は、前記作成手段により作成された参照画像を、前記第１の画像として印刷することを特徴とする請求項１乃至３のいずれか１項に記載の画像処理装置。
【請求項５】
前記印刷制御手段は、前記作成手段により作成された参照画像と前記第２の画像とが、シートの所定の領域に重なって印刷されるように、印刷装置に当該参照画像と当該第２の画像とを印刷させることを特徴とする請求項４に記載の画像処理装置。
【請求項６】
前記入力手段は、前記印刷制御手段により印刷されたシートの前記所定の領域に対応する読取画像を入力することを特徴とする請求項５に記載の画像処理装置。
【請求項７】
前記抽出手段は、前記入力手段により入力された読取画像から、前記第１の抽出画像と前記第２の抽出画像とを、１つの画像として抽出し、
前記出力手段は、前記抽出手段により抽出された、前記第１の抽出画像と前記第２の抽出画像とを含む１つの画像と、前記メモリに記憶されている前記第１の画像とを合成することによって、当該第１の抽出画像と、当該第２の抽出画像と、当該第１の画像とが合成された前記合成画像を出力することを特徴とする請求項１乃至６のいずれか１項に記載の画像処理装置。
【請求項８】
前記印刷制御手段により印刷された前記シートを前記読取装置が読み取って得られた読取画像に基づき、ユーザにより選択された印刷媒体のサイズを特定する特定手段を有し、
前記出力手段は、前記合成画像を前記印刷装置に出力して、当該合成画像を前記特定手段により特定されたサイズの印刷媒体へ印刷させることを特徴とする請求項１乃至７のいずれか１項に記載の画像処理装置。
【請求項９】
メモリに記憶されている第１の画像と、メモリに記憶されている第２の画像とを、印刷装置にシートへ印刷させる印刷制御工程と、
前記印刷制御工程において印刷されたシートを読取装置が読み取って得られた、前記第１の画像と前記第２の画像とを含む読取画像を入力する入力工程と、
前記入力工程において入力された読取画像における前記第２の画像に対応する領域を特定するためのデータを、メモリから取得する取得工程と、
前記入力工程において入力された読取画像から抽出される画像であって、当該画像に含まれる画素のそれぞれの輝度が所定レベルよりも低い第１の抽出画像と、当該読取画像のうちの前記取得工程において取得されたデータにより特定される領域に対応する第２の抽出画像とを、当該読取画像から抽出する抽出工程と、
前記抽出工程において抽出された前記第１の抽出画像および前記第２の抽出画像と、前記メモリに記憶されている前記第１の画像とが合成された合成画像を出力する出力
工程と、
を有することを特徴とする画像処理方法。
【請求項１０】
請求項９に記載の画像処理方法をコンピュータに実行させるためのプログラム。
【手続補正２】
【補正対象書類名】明細書
【補正対象項目名】発明の名称
【補正方法】変更
【補正の内容】
【発明の名称】画像処理装置、画像処理方法、およびプログラム
【手続補正３】
【補正対象書類名】明細書
【補正対象項目名】０００１
【補正方法】変更
【補正の内容】
【０００１】
本発明は、シートを読み取って得られた読取画像から抽出された抽出画像と、メモリに記憶されている画像とが合成された合成画像を出力する画像処理装置、画像処理方法、およびプログラムに関する。
【手続補正４】
【補正対象書類名】明細書
【補正対象項目名】００１３
【補正方法】変更
【補正の内容】
【００１３】
よって、本発明は、メモリに記憶されている画像をシートに印刷して、当該シートの読取画像から当該画像を適切に抽出することができる画像処理装置、画像処理方法、およびプログラムを提供することを目的とする。
【手続補正５】
【補正対象書類名】明細書
【補正対象項目名】００１４
【補正方法】変更
【補正の内容】
【００１４】
本発明の画像処理装置は、メモリに記憶されている第１の画像と、メモリに記憶されている第２の画像とを、印刷装置にシートへ印刷させる印刷制御手段と、前記印刷制御手段により印刷されたシートを読取装置が読み取って得られた、前記第１の画像と前記第２の画像とを含む読取画像を入力する入力手段と、前記入力手段により入力された読取画像における前記第２の画像に対応する領域を特定するためのデータを、メモリから取得する取得手段と、前記入力手段により入力された読取画像から抽出される画像であって、当該画像に含まれる画素のそれぞれの輝度が所定レベルよりも低い第１の抽出画像と、当該読取画像のうちの前記取得手段により取得されたデータにより特定される領域に対応する第２の抽出画像とを、当該読取画像から抽出する抽出手段と、前記抽出手段により抽出された前記第１の抽出画像および前記第２の抽出画像と、前記メモリに記憶されている前記第１の画像とが合成された合成画像を出力する出力
手段と、を有することを特徴とする。
【手続補正６】
【補正対象書類名】明細書
【補正対象項目名】００１５
【補正方法】変更
【補正の内容】
【００１５】
本発明によれば、メモリに記憶されている画像をシートに印刷して、当該シートの読取画像から当該画像を適切に抽出することができる。